(57)【特許請求の範囲】
【請求項１】
椅子の背凭れの両側部に、オプション部材を左右１対の取付部材をもって取り付けるようにした椅子の背凭れへのオプション部材の取付構造であって、
前記各取付部材が、背凭れの側部の前後いずれか一方の面に当接する当接部と、それに対向するようにして前記取付部材に支持され、かつ前記当接部に対向する端部が背凭れの側部の前後いずれか他方の面に圧接するようにした弾性部材とを備えてなり、さらに、前記背凭れの両側部の前後いずれかの面に、凸部または凹部を設け、この凸部または凹部に、各取付部材の当接部が係合することにより、背凭れに対する前記取付部材の上方または下方への移動を阻止するようにしたことを特徴とする椅子の背凭れへのオプション部材の取付構造。
【請求項２】
背凭れの両側部の前後いずれかの面に、複数の凸部または凹部を、上下方向に適宜の間隔をもって設け、この凸部または凹部に各取付部材の当接部が選択的に係合することにより、オプション部材を、上下方向の取付け位置調節可能として背凭れに装着した請求項１記載の椅子の背凭れへのオプション部材の取付構造。
【請求項３】
椅子の背凭れの両側部に、オプション部材を左右１対の取付部材をもって取り付けるようにした椅子の背凭れへのオプション部材の取付構造であって、
前記各取付部材が、背凭れの側部の前後いずれか一方の面に当接する当接部と、それに対向するようにして前記取付部材に支持され、かつ前記当接部に対向する端部が背凭れの側部の前後いずれか他方の面に圧接するようにした弾性部材とを備えてなり、さらに、前記各取付部材に、背凭れの両側部を囲む包囲片を設け、この包囲片の先端部に、背凭れの両側部の前後いずれかの面に当接する当接部を設け、かつ前記包囲片の基部に、弾性部材を保持するようにしたことを特徴とする椅子の背凭れへのオプション部材の取付構造。
【請求項４】
包囲片の先端部を、包囲片の基部に対して着脱可能として装着し、前記包囲片の先端部を基部に装着したときに形成される空所内に、弾性部材を嵌合して保持しうるようにした請求項３記載の椅子の背凭れへのオプション部材の取付構造。
【請求項５】
背凭れの両側部の前後いずれかの面に、後方または前方に向かって凹入する上下方向を向く凹溝を設け、この凹溝に、各取付部材の当接部、またはそれに対向する弾性部材の端部を嵌合した請求項１〜４のいずれかに記載の椅子の背凭れへのオプション部材の取付構造。
【請求項６】
背凭れの両側部の前後両面に、後方および前方に向かって凹入する上下方向を向く凹溝を設け、前記凹溝に、各取付部材の当接部と、それに対向する弾性部材の端部とを嵌合した請求項５記載の椅子の背凭れへのオプション部材の取付構造。
【請求項７】
オプション部材の両側部に、前方に向かって互いに拡開する左右１対の支持フレームを連設し、各支持フレームの先端部に取付部材を設けることにより、オプション部材を、背凭れの後面より後方に離間させて取り付けるようにした請求項１〜６のいずれかに記載の椅子の背凭れへのオプション部材の取付構造。
【発明の詳細な説明】
【技術分野】
【０００１】
本発明は、椅子の背凭れへのオプション部材の取付構造に関する。
【背景技術】
【０００２】
従来の椅子には、背凭れに、衣服を掛けるためのハンガーや、ヘッドレスト等のオプション部材を取り付けたものがある(例えば特許文献１〜５参照)。
【先行技術文献】
【特許文献】
【０００３】
【特許文献１】特開２００５−２４５８６６号公報
【特許文献２】特開２００６−１１００１３号公報
【特許文献３】特許第３８０１７６９号公報
【特許文献４】特許第４１４６８９０号公報
【特許文献５】特許第４０９７１８６号公報
【発明の概要】
【発明が解決しようとする課題】
【０００４】
しかし、上述のような従来の椅子においては、オプション部材を背凭れに取り付けるための取付構造が複雑で、取付作業が面倒であり、また、オプション部材を背凭れから取り外した後に、ねじ孔等の取付構造の一部が残り、それが外部に露呈して、美観を損なう等の問題がある。
【０００５】
本発明は、上記問題点に鑑みてなされたもので、背凭れに、オプション部材を、簡単な構造で、安定よく確実に、しかも容易に取り付けることができるとともに、オプション部材の上下方向の取付位置の調整も容易であり、さらに、オプション部材を取り外した後の背凭れの外観を美麗に保つことができるようにした椅子の背凭れへのオプション部材の取付構造を提供することを目的としている。
【課題を解決するための手段】
【０００６】
本発明によると、上記課題は、次のようにして解決される。
（１）椅子の背凭れの両側部に、オプション部材を左右１対の取付部材をもって取り付けるようにした椅子の背凭れへのオプション部材の取付構造であって、
前記各取付部材が、背凭れの側部の前後いずれか一方の面に当接する当接部と、それに対向するようにして前記取付部材に支持され、かつ前記当接部に対向する端部が背凭れの側部の前後いずれか他方の面に圧接するようにした弾性部材とを備えてなり、さらに、前記背凭れの両側部の前後いずれかの面に、凸部または凹部を設け、この凸部または凹部に、各取付部材の当接部が係合することにより、背凭れに対する前記取付部材の上方または下方への移動を阻止するようにする。
【０００７】
このような構成とすると、各取付部材の当接部と弾性部材とが、背凭れの各側部を前後から挾圧把持して、オプション部材を安定よく確実に取り付けることができるとともに、構造が簡単で、安価に製造することができる。
また、当接部と弾性部材との間隔が、背凭れの側部の把持部分の厚さより大となるように、弾性部材を弾性変形させることにより、オプション部材を背凭れに対して簡単に上下動させることができるとともに、背凭れから容易に外したり取り付けたりすることもできる。
さらに、オプション部材を背凭れから取り外した後に、背凭れにねじ孔等が残ることがなく、背凭れの外観を美麗に保つことができる。
しかも、オプション部材やそれに取り付けたものの重力により、取付部材が背凭れに対してずり落ちるのを防止することができる。
【０００８】
（２）上記(１)項において、背凭れの両側部の前後いずれかの面に、複数の凸部または凹部を、上下方向に適宜の間隔をもって設け、この凸部または凹部に各取付部材の当接部が選択的に係合することにより、オプション部材を、上下方向の取付け位置調節可能として背凭れに装着する。
【０００９】
このような構成とすると、背凭れに対するオプション部材の上下位置を、簡単に変更することができる。
【００１０】
（３）椅子の背凭れの両側部に、オプション部材を左右１対の取付部材をもって取り付けるようにした椅子の背凭れへのオプション部材の取付構造であって、
前記各取付部材が、背凭れの側部の前後いずれか一方の面に当接する当接部と、それに対向するようにして前記取付部材に支持され、かつ前記当接部に対向する端部が背凭れの側部の前後いずれか他方の面に圧接するようにした弾性部材とを備えてなり、さらに、前記各取付部材に、背凭れの両側部を囲む包囲片を設け、この包囲片の先端部に、背凭れの両側部の前後いずれかの面に当接する当接部を設け、かつ前記包囲片の基部に、弾性部材を保持するようにする。
【００１１】
このような構成とすると、背凭れの両側部が包囲片により覆われ、取付部材の当接部や弾性部材が外側方に露呈するのを防止することができ、体裁をよくすることができるだけでなく、背凭れに対するオプション部材の左右方向の位置ずれを防止することができ、さらに、オプション部材の支持強度を高めることができる。
【００１２】
（４）上記(３)項において、包囲片の先端部を、包囲片の基部に対して着脱可能として装着し、前記包囲片の先端部を基部に装着したときに形成される空所内に、弾性部材を嵌合して保持しうるようにする。
【００１３】
このような構成とすると、背凭れの両側部への取付部材の装着や取り外し作業が楽になるだけでなく、弾性部材を容易に交換することができる。
【００１４】
（５）上記(１)〜(４)項のいずれかにおいて、背凭れの両側部の前後いずれかの面に、後方または前方に向かって凹入する上下方向を向く凹溝を設け、この凹溝に、各取付部材の当接部、またはそれに対向する弾性部材の端部を嵌合する。
【００１５】
このような構成とすると、凹溝によって、各取付部材の当接部または弾性部材が左右方向に位置決めされるとともに、当接部または弾性部材の上下移動が案内され、当接部または弾性部材が、背凭れの側方に脱落するのが防止される。
【００１６】
（６）上記(５)項において、背凭れの両側部の前後両面に、後方および前方に向かって凹入する上下方向を向く凹溝を設け、前記凹溝に、各取付部材の当接部と、それに対向する弾性部材の端部とを嵌合する。
【００１７】
このような構成とすると、各取付部材の当接部と弾性部材とが、ともに凹溝に嵌合されるので、上記(５)項の効果をより高めることができるとともに、当接部および弾性部材が凹溝内に嵌合して、外部に露呈することがなく、体裁をよくすることができる。
【００１８】
（７）上記(１)〜(６)項のいずれかにおいて、オプション部材の両側部に、前方に向かって互いに拡開する左右１対の支持フレームを連設し、各支持フレームの先端部に取付部材を設けることにより、オプション部材を、背凭れの後面より後方に離間させて取り付けるようにする。
【００１９】
このような構成とすると、オプション部材が背凭れの後面より後方に離間し、その荷重が、取付部材を後下方に回動させようとするモーメントとして作用し、背凭れへの取付部材の噛み合い強度を高めることができる。
【発明の効果】
【００２０】
本発明によると、オプション部材を、簡単な構造で、安定よく確実に取り付けることができるとともに、オプション部材の上下方向の取付位置の調整も容易であり、しかも、オプション部材を取り外した後の背凭れの外観を美麗に保つことができるようにした椅子の背凭れへのオプション部材の取付構造を提供することができる。
【図面の簡単な説明】
【００２１】
【図１】本発明の第１の実施形態を備える椅子の側面図である。
【図２】同じく、背面図である。
【図３】同じく平面図である。
【図４】背凭れを斜め前方より見た分解斜視図である。
【図５】ハンガーを斜め前方より見た分解斜視図である。
【図６】図２のVI−VI線に沿う拡大横断平面図である。
【図７】図２のVII−VII線に沿う拡大縦断側面図である。
【図８】図２のVIII−VIII線に沿う拡大横断平面図である。
【図９】ハンガーの取付部分を斜め後方より見た分解斜視図である。
【図１０】本発明の第２の実施形態を備えるハンガーを斜め前方より見た分解斜視図である。
【図１１】図１０のＡ部を拡大し、かつその上部と内側部との一部を破断した斜視図である。
【図１２】図１０のハンガーを背凭れに装着したときの、図７と同様の部分で縦断した拡大縦断側面図である。
【図１３】図１２のXIII−XIII線に沿う拡大横断平面図である。
【発明を実施するための形態】
【００２２】
以下、本発明の実施形態を、添付図面に基づいて説明する。
図１〜図９は、本発明の第１の実施形態を備える椅子を示す。
図１〜図３に示すように、この椅子は、先端部にキャスタ１を備える放射状をなす５本の脚杆２を有する脚体３を備えている。脚体３の中央には、ガススプリング(図示略)を備える伸縮式の脚柱４が立設されており、脚柱４の上端には、支基５の後部が固着されている。
【００２３】
支基５は、上面が開口するほぼ中空箱状をなし、上面の開口部は、着脱可能なカバー５ａにより覆われている。
【００２４】
支基５の内部には、背凭れ６を起立する方向、すなわち前方に向かって付勢する付勢手段や、支基５によって支持された座７を前方に向かって付勢する付勢手段(いずれも図示略)等が設けられているが、それらについては、本発明に直接関係しないので、図示および詳細な説明は省略する。
【００２５】
背凭れ６は、図４に示すように、中間の屈曲部同士が左右方向を向く連結板８をもって連結された側面視Ｌ字状の左右１対の背凭れ支持杆９、９により支持されている。
この背凭れ支持杆９、９の前端部は、左右方向の軸１０をもって支基５に枢着され、支基５の後端部と連結板８とに前後の端部が連結されたガススプリング１１(図１参照)の作用により、背凭れ支持杆９、９と背凭れ６とは、軸１０を中心として、前後方向に回動したり、所望の後傾角度で停止させられたりし得るようになっている。
【００２６】
図４に示すように、背凭れ６は、左右１対の側杆１２、１２と、両側杆１２、１２同士を連結するとともに、前後方向の厚さを両側杆１２、１２の前後方向の厚さより小とした背板１３とを備えている。
背板１３の上半部１３ａは、両側杆１２、１２の前縁寄りに、同じく下半部１３ｂは、両側杆１２、１２の後縁寄りに接合し、それらの中間には、水平の段差部(図示略)が形成されている。
この両側杆１２、１２と背板１３とは、弾性を有する硬質合成樹脂材料により、一体成形して形成するのが好ましい。
【００２７】
このように、背凭れ６を、左右１対の側杆１２、１２と、両側杆１２、１２同士を連結するとともに、前後方向の厚さを両側杆１２、１２の前後方向の厚さより小とした背板１３とを備えるものとしてあるので、後述するハンガー２１の取付部材２２、２２が装着される背凭れ６の両側部の強度が低下することなく、左右の側杆１２、１２と背板１３とを、同一材料により一体成形することができるとともに、背板１３に可撓性を持たせることもできる。
【００２８】
背板１３の上半部１３ａには、可撓性を大とするための上下方向に長い多数の長孔１４が設けられている。
また、背板１３の下半部１３ｂの前面両側部には、剛性を高めるための多数のリブ１５が設けられている。
【００２９】
背凭れ６は、背板１３の下半部１３ｂの前面における左右のリブ１５、１５の間に、左右の背凭れ支持杆９、９の上端部を差し込み、かつ図示を省略した取付部材をもって、連結板８を背板１３の下半部１３ｂに固着し、それらの前面を、背板１３の下半部１３ｂとほぼ同形をなす前覆い板１６をもって、その前面が背板１３の上半部１３ａの前面と整合するようにして覆った状態で、背凭れ支持杆９、９に支持されている。
さらに、前覆い板１６の前面と、背板１３の上半部１３ａの前面と、背板１３の上半部１３ａの後面とは、二つ折りとしたクッション材１７により覆われている。
【００３０】
背凭れ６における左右の側杆１２、１２の前後両面には、後方および前方に向かって凹入する上下方向を向く前後１対の凹溝１８、１９が、互いに前後方向に整合させて設けられ、この凹溝１８、１９が設けられた部分の各側杆１２の水平断面は、図６に示すように、ほぼＨ字状をなしている。
【００３１】
各側杆１２における前後の凹溝１８、１９の上端および下端は、閉塞片１８ａ、１８ｂ、１９ａ、１９ｂにより閉塞されており、それによって、後述する取付部材２２、２２が、背凭れ６の上方または下方に脱落するのを防止しうるようにしてある。
なお、上下の閉塞片１８ａ、１８ｂ、１９ａ、１９ｂのいずれか一方を省略することにより、凹溝１８、１９の上端および下端のいずれか一方を上方または下方に開放しておいてもよい。
【００３２】
前方の凹溝１８の溝底面には、図７に示すように、上端面が水平をなす側面視三角形の複数の凸部２０が、上下方向に適宜の間隔をもって設けられている。
なお、この凸部２０に代えて、下端面が水平をなす側面視三角形の複数の凹部(図示略)としてもよい。
【００３３】
左右の側杆１２、１２に設けた前後の凹溝１８、１９には、図５に示すようなオプション部材である、衣服を掛けるためのハンガー２１の両側部に設けた取付部材２２、２２の一部が係合させられて、ハンガー２１は背凭れ６に取り付けられ、背凭れ６の背面側に配設されている。
【００３４】
ハンガー２１の各取付部材２２は、ハンガー２１の側端から外側方に延出し、背凭れ６の側端部を背面側から前面側にかけて囲む包囲片２３と、この包囲片２３の後方の内隅部に、ボルト・ナット２５ｄをもって、着脱可能として固着された弾性部材２５とを備えている。
【００３５】
各側杆１２の前面に回り込んだ各包囲片２３の先端の上部には、後方を向き、かつ下端が水平をなす側面視三角形の係合爪(第１の当接部)２４が設けられており、この係合爪２４が、側杆１２の前面の凹溝１８に嵌合し、凹溝１８内に設けた複数の凸部２０と選択的に係合して、ハンガー２１を複数の高さにおいて背凭れ６に係止しうるようになっている。
【００３６】
図７〜図９に示すように、弾性部材２５は、ボルト・ナット２５ｄをもって包囲片２３に固着された取付部２５ａと、この取付部２５ａから前上方に延出し、各側杆１２の前面の凹溝１９に嵌合して、その溝底面に圧接する弾性舌片２５ｂと、取付部２５ａから前下方に延出し、前端が各側杆１２の後面における凹溝１９の側縁に当接する当接片２５ｃとを備えている。
【００３７】
弾性部材２５における当接片２５ｃの前端が、各側杆１２の後面における凹溝１９の側縁に当接し、かつ弾性舌片２５ｂが、側杆１２の前面の凹溝１９に嵌合して、その溝底面に圧接することにより、係合爪２４を、側杆１２の前面における凹溝１８の溝底面に圧接するように付勢し、この係合爪２４と、弾性部材２５における弾性舌片２５ｂおよび当接片２５ｃとにより、各側杆１２を前後から挾圧把持し、さらに、係合爪２４の下縁が、凹溝１８内の複数の凸部２０のいずれかの上面に当接して係合することにより、左右の取付部材２２、２２は、左右の側杆１２、１２に、簡単に下降することのないように、強固に係合し、ハンガー２１を安定よく、強力に支持することができる。
【００３８】
ハンガー２１の取り付け位置を上下方向に調節したい場合は、弾性舌片２５ｂを弾性変形させつつ、その付勢力に抗して、ハンガー２１を、図７に２点鎖線で示すように、その下端部を支点として、前方に回動させるか、または前方に押動する。
すると、係合爪２４が、当接片２５ｃの前下端か、または包囲片２３の前部の下端内縁(第２の当接部)を支点とし、前方に回動させられて、凸部２０から前方に離脱する。
この状態で、ハンガー２１全体を上方または下方に移動し、係合爪２４を、上下いずれかの別の凸部２０に係合させればよい。
【００３９】
なお、ハンガー２１を下方に移動させる際は、ハンガー２１を元の後傾姿勢に戻しつつ下降させれば、係合爪２４は、下方の凸部２０に自然に係合する。
ハンガー２１を上方に移動させる際は、ハンガー２１を元の後傾姿勢に戻しつつ上昇させても、係合爪２４は、上方の凸部２０における前上方に傾斜する下縁に乗り上がって、一旦前方に押動された後、その凸部２０の上面に係合することができる。
【００４０】
ハンガー２１は、この例では、背凭れ６の左右の両側部に上記のようにして装着した上記の１対の取付部材２２、２２と、両取付部材２２、２２から、背凭れ６の背面側において互いに後内方に向かって延出する１対の支持フレーム２６、２６と、両支持フレーム２６、２６の内端より上方に向かって互いに外側方に拡開するように延出する１対の傾斜起立フレーム２７、２７と、両傾斜起立フレーム２７、２７の上端部に各端部が連設された左右方向を向く上部フレーム２８とを備えるものとし、少なくとも、上記傾斜起立フレーム２７、２７と上部フレーム２８とを、弾性変形可能な材料により形成してある。
【００４１】
なお、１対の傾斜起立フレーム２７、２７側から見ると、左右の支持フレーム２６、２６は、平面視において前方に向かって互いに拡開するように延出し、その先端に取付部材２２、２２が連設されており、それによって、ハンガー２１の上部フレーム２８は、背凭れ６の後面より後方に離間し、その荷重が、取付部材２２、２２を後下方に回動させようとするモーメントとして作用し、背凭れ６への取付部材２２、２２の噛み合い強度を高めることができるようになっている。
【００４２】
上部フレーム２８より下方において、左右方向を向く補助フレーム２９の両端部が、左右の傾斜起立フレーム２７、２７に連設されている。
この例では、上部フレーム２８を、背面視において、上方に円弧状に湾曲させ、また、補助フレーム２９を、背面視において、下方に円弧状に湾曲させ、上部フレーム２８と補助フレーム２９との左右の両端部同士を、左右の傾斜起立フレーム２７、２７の上端部に、互いに結合するようにして連設してある。
【００４３】
さらに、補助フレーム２９の中央部は、上部フレーム２８の中央部より前方に位置させてある。
【００４４】
ハンガー２１は、取付部材２２、２２における包囲片２３、２３と、支持フレーム２６、２６と、傾斜起立フレーム２７、２７と、上部フレーム２８と、補助フレーム２９とを、硬質合成樹脂材料により一体成形し、弾性部材２５、２５だけ別材料により形成して、これをボルト・ナット２５ｄをもって包囲片２３、２３に取り付けるようにするのが好ましい。
【００４５】
このハンガー２１は、取付部材２２、２２を、背凭れ６の左右の両側部に装着してあるので、応力が中央に集中することなく、左右に分散され、ハンガー２１自体が左右にぐらつくことなく、衣服等を安定よく支持することができるとともに、左右の取付部材２２、２２を小型化することができる。
【００４６】
また、ハンガー２１を背凭れ６に装着したときの背面形状が２個のＺ字を向き合わせて結合したようなユニークな形状を呈し、体裁がよく、しかもハンガー２１を装着しているときだけでなく、ハンガー２１を取り外した後にも、ねじ孔等が背凭れ６に残存することがないので体裁がよい。
【００４７】
さらに、少なくとも、傾斜起立フレーム２７、２７と上部フレーム２８とを、弾性変形可能な材料により形成したことにより、上部フレーム２８に衣服等の荷重がかかった際に、傾斜起立フレーム２７、２７と上部フレーム２８とが弾性変形して、左右の支持フレーム２６、２６が取付部材２２、２２を支点として、具体的には、弾性部材２５における当接片２５ｃの先端が側杆１２の後面に当接している部分を支点として、下向きに回動しようとするモーメントが働き、そのモーメントにより、取付部材２２、２２が背凭れ６の両側部に強く係合し、取付部材２２、２２と背凭れ６との結合強度が増すという利点もある。
【００４８】
上部フレーム２８は、背面視において、上方に円弧状に湾曲させてあるので、上方からの荷重に対して撓みやすくなり、応力を分散できる。
【００４９】
また、補助フレーム２９は、背面視において、下方に円弧状に湾曲させてあるので、この補助フレーム２９に、ネクタイ、マフラー、ストールといった衣服の付属品等を掛けておくことができ、利便性が増すだけでなく、補助フレーム２９に掛けた衣服の付属品等が、補助フレーム２９の中央部に寄るため、上部フレーム２８に上着が掛けられている状態においても、それらを取り出し易くなる。
【００５０】
しかも、補助フレーム２９は、その中央部を、上部フレーム２８の中央部より前方に位置させてあるので、上部フレーム２８に上着が掛けられている状態においても、補助フレーム２９に、衣服の付属品等を、容易に掛けたり取り出したりすることができる。
【００５１】
左右の取付部材２２を、背凭れ６の両側部に、上下方向の取付け位置調節可能として装着してあるので、ハンガー２１を使用しないときは、上部フレーム２８が背凭れ６の上端と等高か、またはそれより下位の下降位置に位置させておくことにより、ハンガー２１が邪魔にならず、また、ハンガー２１を使用する際には、上部フレーム２８が背凭れ６の上端より上方となる上昇位置に位置させることにより、衣服等をハンガー２１に掛け易く、衣服等の下端が床に付かないようにすることができる。
【００５２】
図示の例では、支基５の両側面に、左右１対の肘掛け３０、３０を取り付けてあるが、この肘掛けの後端に、上記取付部材２２を前後反転させたものと同様のものを取り付け、それを各側杆１２に、上記の場合と前後逆の関係で取り付けて、各肘掛けを、背凭れ６の両側部に、高さ調節可能として装着することもできる。
【００５３】
このように、オプション部材としては、上記ハンガー２１および肘掛けの他に、ヘッドレスト、ランバーサポート等とすることができ、それらのいずれか１個または複数個の両側部に設けた取付部材２２、２２の一部を、背凭れ６の左右両側部の前後いずれかの面に設けた凹溝１８、１９に係合させて、背凭れ６に取り付けることにより、それらのオプション部材を、簡単な構造で、安定よく確実に背凭れ６に取り付けることができるとともに、オプション部材を、凹溝１８、１９に沿うどのような位置(高さ)においても、同様の構造をもって取り付けることができる。したがって、オプション部材の上下方向の取付位置の調整が容易である。
また、オプション部材を取り外した後に、ねじ孔等の取付構造の一部が残らないので、背凭れの外観を美麗に保つことができる。
さらに、機能の異なる種々のオプション部材を、単独で、または複数個を組み合わせて、背凭れに装着することにより、椅子を多様化することができる。
【００５４】
図１０〜図１３は、本発明の第２の実施形態、およびそれによってハンガーを背凭れに取り付けた状態を示す。なお、第１の実施形態におけるのと同一または類似の部材には、同一の符号をもって図示するに止め、それらについての詳細な説明は省略する。
【００５５】
この例においては、各取付部材２２における包囲片２３を、支持フレームの先端に連設した基部２３ａと、それに着脱可能として装着した先端部２３ｂとによって構成し、包囲片２３の先端部２３ｂを基部２３ａに装着したときに形成される空所３１内に、弾性部材としてのねじりコイルばね３２を嵌合して保持しうるようにしてある。
【００５６】
基部２３ａには、上下面を外側方に向かって上下に拡開する傾斜面とした前方を向く差し込み片３３が突設されており、この差し込み片３３の内面側に、ねじりコイルばね３２を収容する、前方と内側方とに開口する凹所３４が設けられ、この凹所３４の後部には、上下複数段の水平リブ３４ａが設けられている。
各水平リブ３４ａの前縁には、後述するねじりコイルばね３２における後上方に向かって延出する延出端部３２ｃを保持する保持溝３４ｂが設けられている。
また、最上段の水平リブ３４ａの上面には、ねじりコイルばね３２の延出端部３２ｃにおける後方に向けて折曲した先端部を左右より挟むようにした１対の突片３４ｃ、３４ｃが設けられている。
凹所３４は、包囲片２３の先端部２３ｂを基部２３ａに装着したときに形成される空所３１となる。
【００５７】
基部２３ａの差し込み片３３の内面側における凹所３４の下方には、前方に向かって突出し、前端が背凭れ６の両側部後面における凹溝１９内に嵌合して、その先端が凹溝１９の溝底面に当接するようにした当接片３５が設けられている。
【００５８】
図１３に示す例では、背凭れ６の前面側の凹溝１８は、前方に向かってわずかに拡開するようにした両側面に対して、溝底面がほぼ直角をなすようにしてあるが、背凭れ６の後面側の凹溝１９は、両側面が後方に向かってわずかに拡開するが、溝底面は、内側面に対しては鈍角、外側面に対しては鋭角をなすように、外前方に傾斜させてある。
【００５９】
それに合わせて、当接片３５の前端部の平面視の形状も、凹溝１９の内面形状と補形をなす楔状としてあり、当接片３５が凹溝１９に対して楔状に嵌合することによって、当接片３５が凹溝１９に嵌合し易く、しかも一旦嵌合すると外れにくく、がたつきが生じないようにしてある。
【００６０】
また、差し込み片３３の中央部には、後方に開口する側面視コ字状の切込み３６を設けることにより、前方を向く弾性舌片３７が削出されており、この弾性舌片３７の前端部外側面には、係合爪３８が外向き突設されている。
【００６１】
包囲片２３の先端部２３ｂは、垂直の基片３９を備えており、この基片３９の上下の端部には、内側方を向く上下１対の係合縁４０、４１が設けられている。上方の係合縁４０の下面は内方に向かって下向き傾斜し、下方の係合縁４１の上面は内方に向かって上向き傾斜し、この両傾斜面と基片３９の内側面とによって形成されるあり溝４２に、差し込み片３３が後方より嵌合しうるようになっている。
【００６２】
基片３９の前端部は、内方に向かって平面視ほぼコ字状に折り返され、その折り返された先端部には、背凭れ６の両側部前面における凹溝１８内に嵌合して、その溝底面に当接するようにした当接部をなす後向片４３が形成されている。
【００６３】
図１２に示すように、後向片４３の後縁における上下方向の中間部には、後方に向かって山形に突出する突部(第２の当接部)４４が、また同じく上部には、後方に向かってフック状に突出する係合部(第１の当接部)４５が設けられている。
【００６４】
図１３に示すように、基片３９の内面には、差し込み片３３があり溝４２に嵌合するようにして、先端部２３ｂを、図１３に示す正規の装着位置まで、基部２３ａに嵌合したとき、弾性舌片３７の係合爪３８が嵌合して係止するようにした係合凹部４６が設けられている。
【００６５】
ねじりコイルばね３２は、ばね線材３２ａの中間部を複数回巻回して巻回部３２ｂを形成し、その後上方と前上方とに延出端部３２ｃ、３２ｄが延出するようにしたもので、後方の延出端部３２ｃが、複数の水平リブ３４ａの前縁における保持溝３４ｂに係合し、かつ延出端部３２ｃの端末が、１対の突片３４ｃ、３４ｃに挟まれるようにして、巻回部３２ｂが凹所３４の下部に収容され、前方の延出端部３２ｄが、凹所３４より前方に突出して、その前端部が背凭れ６の両側部後面における凹溝１９内に嵌合して、凹溝１９の溝底面に当接するようになっている。
【００６６】
前方の延出端部３２ｄの先端部は、凹溝１９の溝底面との摺動を円滑にするため、後上方に折曲しておくことが望ましい。
【００６７】
第２の実施形態においては、左右の取付部材２２、２２の各包囲片２３における先端部２３ｂを外した状態で、凹所３４にねじりコイルばね３２を収容し、その状態で、各取付部材２２を、背凭れ６の両側部後面に、ねじりコイルばね３２の延出端部３２ｄの先端部と当接片３５の先端とが凹溝１９の溝底面に当接するまで押圧し、ついで、各包囲片２３の基部２３ａに、先端部２３ｂを上記のようにして、背凭れ６の両側部の前方より装着することにより、オプション部材であるハンガー２１を、背凭れ６に簡単かつ迅速に装着することができる。
【００６８】
また、第２の実施形態においては、ハンガー２１を、ねじりコイルばね３２の付勢力に抗して、図１２に２点鎖線で示すように、前上方に押動したとき、ハンガー２１および取付部材２２は、山形の突部４３を中心として円滑に回動し、係合部４４を凸部２０から離脱させることができる。
その状態で、ハンガー２１を上下方向に移動させることにより、ハンガー２１の上下位置を簡単に変更することができる。
【００６９】
本発明は、上記実施形態のみに限定されるものではなく、以下のような幾多の変形した態様での実施が可能である。
(１)  各側杆１２に、前後の凹溝１８、１９のうちのいずれか一方のみを設け、他方を省略するか、または両方を省略して実施することもできる。
この場合、凸部２０を背凭れ６の前面または後面に設け、取付部材２２の係合爪２４、また後向片４２の凸部２３および係合部４４を、背凭れ６の前面または後面に当接させ、かつ弾性舌片２５ｂの先端部および当接片２５ｃの先端部を、背凭れ６の後面または前面に当接させればよい。
【００７０】
(２)  凸部２０を省略し、係合爪２４が凹溝１８内に嵌合して、凹溝１８の溝底面に当接し、係合爪２４と、弾性部材２５における弾性舌片２５ｂおよび当接片２５ｃとにより、各側杆１２を前後から挾圧把持するだけで、ハンガー２１を支持するようにする。
【００７１】
(３)  係合爪２４を、各側杆１２の前面に回り込んだ包囲片２３の先端の下部に設け、それに関連して、弾性部材２５における弾性舌片２５ｂを取付部２５ａから前下方に向かって延出するように設けるとともに、当接片２５ｃを取付部２５ａから前上方に向かって延出するように設け、ハンガー２１その他のオプション部材を、後下方に回動させることにより、係合爪２４が、凸部２０から前方に離脱しうるようにする。
【００７２】
(４)  左右の取付部材２２、２２を、左右方向を向く支持杆(図示略)の両端に設け、この支持杆に、ハンガー２１その他のオプション部材を取り付ける。
【符号の説明】
【００７３】
１  キャスタ
２  脚杆
３  脚体
４  脚柱
５  支基
５ａカバー
６  背凭れ
７  座
８  連結板
９  背凭れ支持杆
１０  軸
１１  ガススプリング
１２  側杆
１３  背板
１３ａ上半部
１３ｂ下半部
１４  長孔
１５  リブ
１６  前覆い板
１７  クッション材
１８、１９  凹溝
１８ａ、１８ｂ、１９ａ、１９ｂ  閉塞片
２０  凸部
２１  ハンガー(オプション部材)
２２  取付部材
２３  包囲片
２３ａ基部
２３ｂ先端部
２４  係合爪(当接部)
２５  弾性部材
２５ａ取付部
２５ｂ弾性舌片
２５ｃ当接片
２６  支持フレーム
２７  傾斜起立フレーム
２８  上部フレーム
２９  補助フレーム
３０  肘掛け
３１  空所
３２  ねじりコイルばね
３２ａばね線材
３２ｂ巻回部
３２ｃ、３２ｄ  延出端部
３３  差し込み片
３４  凹所
３４ａ水平リブ
３４ｂ保持溝
３４ｃ突片
３５  当接片
３６  切込み
３７  弾性舌片
３８  係合爪
３９  基片
４０、４１  係合縁
４２  あり溝
４３  後向片(当接部)
４４  突部
４５  係合部
４６  係合凹部
【図１】
0005563342.tif 000002
【図２】
0005563342.tif 000003
【図３】
0005563342.tif 000004
【図４】
0005563342.tif 000005
【図５】
0005563342.tif 000006
【図６】
0005563342.tif 000007
【図７】
0005563342.tif 000008
【図８】
0005563342.tif 000009
【図９】
0005563342.tif 000010
【図１０】
0005563342.tif 000011
【図１１】
0005563342.tif 000012
【図１２】
0005563342.tif 000013
【図１３】
0005563342.tif 000014